(57)【特許請求の範囲】
【請求項１】
本体と、
読取対象に記録された情報を、光を用いて読み取る情報読取部と、
前記情報読取部を制御する制御部を有する制御基板と、
前記制御基板にバッテリからの電力を供給する電源基板と、
前記制御基板を支持するホルダと
を備え、
前記電源基板は、嵌合孔を有し、所定の弾性力を有するフレキシブルプリント回路基板によって前記制御基板に対して接続され、
前記本体に形成された突起部が前記嵌合孔に挿通し、
前記ホルダに設けられた引掛部に保持された前記電源基板に対し、前記フレキシブルプリント回路基板による付勢力が生じるべく、前記フレキシブルプリント回路基板が撓んだ状態となるように前記電源基板の位置が前記引掛部によって規制されていることを特徴とする光学式情報読取装置。
【請求項２】
前記フレキシブルプリント回路基板による付勢力によって、前記電源基板が前記バッテリに向けて付勢されていることを特徴とする請求項１に記載の光学式情報読取装置。
【請求項３】
前記嵌合孔の形状は前記突起部の外形と同等であり、前記フレキシブルプリント回路基板による付勢力の方向に対する前記電源基板の移動が規制されていることを特徴とする請求項１に記載の光学式情報読取装置。
【請求項４】
前記ホルダによって保持され、前記情報に関する表示を行う表示パネルを備え、
前記本体の正面における前記表示パネルの上部には照明孔を有する照明部が設けられ、
前記照明部は前記照明孔を覆う導光部材を有し、
前記ホルダが、前記照明孔と重ならない位置において、前記導光部材の背面に位置することを特徴とする請求項１から３のいずれか一項に記載の光学式情報読取装置。
【発明の詳細な説明】
【技術分野】
【０００１】
本発明は、バーコードや二次元コード等のシンボルを読み取る情報端末に関する。
【背景技術】
【０００２】
従来の光学式情報読取装置として、特許文献１に示すハンディターミナルが開示されている。この種のハンディターミナルは、工場、倉庫などにおいて商品やその梱包箱に付されたバーコードを読み取るのに用いられる。ハンディターミナルはレーザ光を発し、このレーザ光でバーコードを走査して読み取りを行う。
【０００３】
バッテリの接続方法としては、本体側のバッテリ収納部に設けた電源端子に対して、充電可能なバッテリを取り付ける一般的な方法が用いられている。
【先行技術文献】
【特許文献】
【０００４】
【特許文献１】特開２０１３−１５６７５１号公報
【発明の概要】
【発明が解決しようとする課題】
【０００５】
しかしながら、バッテリを取り付ける際に確実に接触させるためには、電源端子が設けられた基板等の位置決めをする必要があり、そのために基板の固定にビスを使用するなど、作業工程や部品点数を費やしているという課題があった。
【０００６】
そこで、本発明は、簡易な構成で電源基板の位置決めを行うことができる電源端子を備える光学式情報読取装置を提供する。
【課題を解決するための手段】
【０００７】
本発明に係わる光学式情報読取装置によれば、
本体と、
読取対象に記録された情報を、光を用いて読み取る情報読取部と、
前記情報読取部を制御する制御部を有する制御基板と、
前記制御基板にバッテリからの電力を供給する電源基板と、
前記制御基板を支持するホルダと
を備え、
前記電源基板は、嵌合孔を有し、所定の弾性力を有するフレキシブルプリント回路基板によって前記制御基板に対して接続され、
前記本体に形成された突起部が前記嵌合孔に挿通し、
前記ホルダに設けられた引掛部に保持された前記電源基板に対し、前記フレキシブルプリント回路基板による付勢力が生じるべく、前記フレキシブルプリント回路基板が撓んだ状態となるように前記電源基板の位置が前記引掛部によって規制されていることを特徴とする。
【発明の効果】
【０００８】
本発明によれば、簡易な構成で電源基板の位置決めを行うことができる。
【図面の簡単な説明】
【０００９】
【図１】本発明の一実施形態に係る光学式情報読取装置の正面図
【図２】本発明の一実施形態に係る光学式情報読取装置の背面図
【図３】本発明の一実施形態に係る光学式情報読取装置の背面斜視図
【図４】本発明の一実施形態に係る光学式情報読取装置の断面図
【図５】本発明の一実施形態に係る光学式情報読取装置のバッテリロック機構の拡大図
【図６】本発明の一実施形態に係る光学式情報読取装置の分解斜視図
【図７】本発明の一実施形態に係る光学式情報読取装置の他の分解斜視図
【図８】本発明の一実施形態に係る光学式情報読取装置の他の分解斜視図
【図９】本発明の一実施形態に係る光学式情報読取装置の要部拡大図
【図１０】本発明の一実施形態に係る光学式情報読取装置の他の断面図
【図１１】本発明の一実施形態に係る光学式情報読取装置の他の分解斜視図
【図１２】本発明の一実施形態に係る光学式情報読取装置の他の分解斜視図
【発明を実施するための形態】
【００１０】
以下、本発明の実施の形態を図面に基づいて説明する。図中、同じ符号は各図を通して共通である。但し、以下に示す実施の形態は、本発明の技術思想を具体化するための光学式情報読取装置を例示するものであって、本発明は光学式情報読取装置を以下のものに特定しない。また、本明細書は特許請求の範囲に示される部材を実施の形態の部材に特定するものでは決してない。また、本発明の一実施形態では、光学式情報読取装置の一例として、一次元バーコードリーダー付グリップ型ハンディターミナルを挙げる。
【００１１】
図１に示す光学式情報読取装置１の外形を構成する筐体１００は図３の背面斜視図に示すように、上ケース１０１と下ケース１０２に２分割される。図１に示すように、光学式情報読取装置１の正面側には上方に液晶表示部２が設けられ、下方に操作部３が備えられている。この筐体１００は、液晶表示部２を設けた表示部４と、操作部３を設けユーザーが握る部分であるグリップ部５とから成る。
【００１２】
この液晶表示部２は、読取対象のシンボルをカメラ部で撮影した画像や、シンボルを復号化した情報、その他の設定情報といった各種の情報を表示するための部分であり、その液晶表示部２に表示された表示内容を参照しながら、正面に配置された操作部３を片手、または両手にて操作する。この液晶表示部２の上面には、タッチパネルが配置される。また、液晶表示部２の上方には内蔵したＬＥＤライトが発光した際に外観から視認可能なようにする、ＬＥＤライトの導光部材６が設けられている。
【００１３】
操作部３には、各種の操作を行うテンキー１０や電源ボタン７、各種ファンクションボタン群８、スキャンボタン９等が割り当てられる。電源ボタン７は、他のキーよりも上ケース１０１からの突出量が低くなっており、また、上ケース１０１の電源ボタン７の回りにはバーリング状の凸部が形成されていることによって電源ボタン７の誤押しを防止している。上ケース１０１の内部側には、各種キーのついたキーラバー１８とキー基板１９が備える。
【００１４】
図２は本発明の一実施形態における光学式情報読取装置１の背面図であり、液晶表示部２の裏面となる位置にはスキャナ部１４が設けられており、その表面には、透光性のスキャナ窓１５を有し、その内部に設けられたスキャナユニット１６から照射されるレーザ光が透過可能になっている。スキャナ部１４のグリップ部５側にはスキャナ部１４に隣接してスピーカー部１７を設けている。
【００１５】
図３は本発明の一実施形態における光学式情報読取装置１の背面斜視図である。下方のグリップ部５には、光学式情報読取装置１を駆動する電力を供給するためのバッテリ１１を備えている。図３に示すようにバッテリ１１は、光学式情報読取装置１に着脱自在に装着している。また、バッテリ１１を収納するバッテリ収納部３１を備える。このバッテリ収納部３１は下ケース１０２の窪み状の開口部であり、バッテリカバー１２によって閉塞される。このため、バッテリカバー１２は着脱自在である。また、このバッテリカバー１２を閉塞した状態で保持するためのバッテリロックノブ１３が下ケース１０２に備えられている。
【００１６】
バッテリカバー１２を外し、バッテリ１１を取り外すと、図３のようにバッテリ収納部３１の一部が開口されており、そこからキー基板１９に配置されたカードコネクタ２０が見え、ユーザーの指にてアクセス可能となる。
【００１７】
筐体１００左右にはスキャンキー２１を備えている。スキャンキー２１は筐体１００のグリップ部５よりも筐体１００長手方向で上方に位置し、液晶表示部２の横に配置される。
【００１８】
図４は本発明の一実施形態における光学式情報読取装置１の断面図であり、筐体１００長手方向にスキャナ部１４の頂部１４ａの下方に位置する足部３２を設ける。これは、筐体１００が落下した際に頂部１４ａが地面に当たることを防ぎ、衝撃を緩和させるために設けられている。頂部１４ａで着地すると、衝撃をスキャナ部１４近傍の筐体１００の先端で受けることによるダメージが大きく、スキャナ窓枠２２が変形しスキャナ窓１５が外れるもしくは破壊される虞がある。光学式情報読取装置１はスキャナ機能がメインの機能として構成されていることから、スキャナ窓１５へのダメージが製品の質を大きく損なう、もしくは製品として機能しなくなることを意味し、スキャナ部１４の内部に設けられるスキャナユニット１６の保護は極めて重要となる。
【００１９】
筐体１００の上方には液晶表示部２やスキャナユニット１６を制御するための制御装置５０などが搭載された制御基板５１が配置されており、その制御基板５１にバッテリ１１から給電するためのフレキシブルプリント電源基板５２が制御基板５１の下方に配置されている。
【００２０】
電源基板５２は、その下方にコネクタ５３の端子５４を備え、端子５４がバッテリ１１と接触して給電される。
【００２１】
また、筐体１００をフラットな面に横にして置いた時に、スキャナ部１４の足部３２と下ケース１０２の下端部によって支持されることにより筐体１００は上ケース１０１がやや傾斜するようになっている。上ケース１０１が傾斜して置かれることから、液晶表示部２が筐体１００の下端側にいるユーザーの顔の方を向くようになり、載置時における視認性が良くなる利点がある。また、スキャナ部１４の凸形状として、上述したようにスキャナ部１４の足部３２と下ケース１０２の下端部によって支持される際に載置面との間に隙間が生じるようにすることによって、ユーザーの指が隙間に入ることで載置された筐体１００を持ち上げる際に持ち易くなる。
【００２２】
また、グリップ部５の内部にはバッテリ１１が収容されている。バッテリカバー１２のロックノブ１３は、バッテリカバー１２を閉塞した状態で保持するロック状態と、バッテリカバー１２が自由に外れる解除状態との間をスライド可能に構成されている。この動作によりロック状態と解除状態とを切り替えられる。このロックノブ１３は下ケース１０２のバネ部７８上をスライド移動するように設けられている。
【００２３】
図５は、本発明の一実施形態における光学式情報読取装置１のバッテリロック機構の拡大図である。図５に示すように、ロックノブ１３はスライドする方向と直交する押圧面７９を有しているので、ロックノブ１３の押圧面７９がスライド移動により樹脂製バネの先端に設けられた山形状部がロックノブ１３のスライド移動により押し下げられ、越えられることでロック感を得、ロック位置と解除位置のいずれかの方向に移動する。
【００２４】
また、ロックノブ１３は図４に示すように、背面の長手方向中央よりやや上方に位置する。ロックノブ１３の頂部より筐体１００長手方向下方の表面へ向かうカーブとバッテリカバー１２の凸部１２ａから筐体１００長手方向上方の表面へ向かうカーブを一連の曲線で描く形状にすることにより、筐体１００を握った時にユーザーの人指し指またはその他の指を引掛けることが可能になる。これにより、スキャナ部１４で読み取りを行う際に、筐体１００を上方向に向けて上方に位置するバーコードも、また地面等の下方にあるバーコードをも負担なく、且つ安定して持つことが可能となる。
【００２５】
また、これらのバッテリ部５において、バッテリ１１の脱着時に先に筐体１００から離れる側とバッテリカバー１２の脱着時に先に筐体１００から離れる側とが筐体１００の長手方向に対して互いに逆側に位置している。これは、バッテリ１１の脱着時に先に筐体１００から離れる側にバッテリカバー１２の開く支点があるということである。具体的には、バッテリ１１は、その脱着時に筐体１００の下端部側から筐体１００と離れる。それに対しバッテリカバー１２は、その脱着時にロックノブ１３側から筐体１００と離れる。
【００２６】
落下の衝撃などで筐体１００内部のバッテリ１１の脱方向に力が加わってもバッテリカバー１２がバッテリ１１により押圧されて変形したり、筐体１００から外れる事態を防止できる構造である。
【００２７】
さらにこのバッテリ部５は片手で安定して保持しやすい形状になっている。図５に示すように、バッテリカバー１２と下ケース１０２が段差なく滑らかなカーブを描いており、片手で筐体１００を握った時にフィットする形状である。また、バッテリ１１が手の平に収まる位置に配置されていることから、重心が手のひらに収まることになり、安定して保持できる。筐体１００の下面には充電端子４１が設けられており、光学式情報読取装置１を充電用クレードルに載置した際にクレードル側の給電端子によってバッテリ１１の充電が可能となる。
【００２８】
図６は、本発明の一実施形態に係る光学式情報読取装置１の分解斜視図である。図６に示すように、制御基板５１が表示フレーム７０と下フレーム７４とに挟持される。表示フレーム７０の位置決めのピン７０ａに制御基板５１の穴が位置決めされており、ピン７０ａが下フレーム７４に形成されたボスに挿入されることによりフレームユニット７６が形成される。これによって、固定ビス等による固定手段を必要とすることなく、表示フレーム７０と下フレーム７４に対する制御基板５１の位置の固定が可能となる。また、制御基板５１は表示フレーム７０と下フレーム７４其々との間に表示フレーム用クッション材７２と下フレーム用クッション材７５を有し、落下等の衝撃から保護される。また、表示フレーム７０と下フレーム７４は制御基板５１を挟持した状態でねじ止めされる。このフレームユニット７６は上ケース１０１と下ケース１０２との間で挟持され、ビス等の固定手段は必要としない。従来は、上ケース１０１および下ケース１０２と、制御基板５１が固定されるフレームがビス等で共締めされていたが、外力により内部部品まで衝撃が伝わりやすいことと、上下ケースの変形により内部のフレームも共に変形し挟持された制御基板５１がダメージを受けるという問題があった。本実施形態におけるフレームユニット７６においては、この問題を回避する構造となっている。
【００２９】
下フレーム７４にはスキャナユニット１６がビス固定されている。スキャナユニット１６と下ケース１０２との間にはスキャナ用弾性部材７７が配置される。上記のようにフレームユニット７６には大きな衝撃は加わることはなく、下フレーム７４に固定されたスキャナユニット１６も衝撃から守られる。且つ、弾性部材７７の配置を配置することで、より衝撃が緩和される。
【００３０】
＜ＬＣＤの支持構造＞
図７は、本発明の一実施形態に係る光学式情報読取装置１の他の分解斜視図である。液晶表示部２は、その背面側に配置された制御基板５１に対して不図示のＦＰＣ７１で接続されており、表示フレーム７０に対して表示用クッション材８５を介して保持されている。液晶表示部２の背面においては、制御基板５１に対し液晶表示部２を弾性支持するための支持部材７３を備えている。支持部材７３はバネ性を備えた金属製部材で構成されており、液晶表示部２の背面と制御基板５１とを電気的に導通させ、液晶表示部２の接地と兼用している。
【００３１】
尚、支持部材７３は強度を持つ導電性材料で構成されてさえいればよく、金属には限られない。また、表示用クッション材８５は液晶表示部２の表示面以外の５面を覆うように配置されており、必要な箇所のみ切り出して液晶表示部２を露出させている。なお、クッション材８５は表示面以外の５面を覆うようになっているが、ＬＣＤの背面が主面となっており、ＬＣＤの側面に対してそれぞれを折り返すことで５面を覆うように簡易に形成されている。
【００３２】
例えば、支持部材７３が配置される箇所は上述のようにして液晶表示部２との導通を取る場合であれば支持部材７３に対応する液晶表示部２背面の金属部分が露出して支持部材７３と当接可能なように表示用クッション材８５を切り出す。
【００３３】
本実施形態においては、支持部材７３は複数配置しており、好ましくは液晶表示部２の表示面に対して対角線上に配置することが好ましい。これによって液晶表示部２における接地経路を複数設けることができ、液晶表示部２からのノイズの低減を図ることができる。対角線上におくことで液晶表示部２の表示面の面積に対する広い領域をカバーすることができ、より接地効果が高まる。
【００３４】
また、液晶表示部２に対して複数箇所で支持することによって、支持箇所における液晶表示部２の撓みを低減し、撓みによる液晶表示部２の表示ムラを低減することができる。より好ましくは、最も撓みやすい液晶表示部２の中央部を避けて支持部材７３を配置することによって、表示ムラを低減することであり、例えば、液晶表示部２の４隅付近における２箇所以上の位置に配置する。本実施形態においては、液晶表示部２の４隅のうち、３箇所に配置し、残りの１箇所に対応する位置には制御基板５１上において比較的大きく、設計スペースが必要なＩＣや、表示フレーム７０の強度を向上するための連結部を配置している。
【００３５】
表示面の４隅にそれぞれ支持部材７３を配置してもよいが、接地箇所を増やすことによる効果を鑑みながら、適切な数での接地を行えばよい。
【００３６】
＜電源基板の位置決め構造＞
図８は、本発明の一実施形態に係る光学式情報読取装置１の他の分解斜視図であり、図９は、本発明の一実施形態に係る光学式情報読取装置１の制御基板５１の拡大図である。なお、図９は図８における制御基板５１の裏面側からの斜視図である。
【００３７】
フレキシブルプリント電源基板５２と制御基板５１とがＦＰＣ部８２で接続されており、フレキシブルプリント電源基板５２の下側にはフレキシブルプリント電源基板５２が当接可能なように下ケース１０２に設けられた受け部５７が設けられている。制御基板５２に接続されたフレキシブルプリント電源基板５２は、表示フレーム７０の引掛部８３に仮固定されることによって表示フレーム７０に対して位置決めされる。その時、ＦＰＣ部８２はＳ字を描き、ＦＰＣ部８２自身の変形による付勢力によってフレキシブルプリント電源基板５２が表示フレーム７０の引掛部８３側に押し付けられる。フレキシブルプリント電源基板５２は引掛部８３によって液晶表示部２と並行な面に対する位置も規制されており、固定部材を用いずに表示フレーム７０に対する位置が決まっている。一方で、ＦＰＣ８２の変形による付勢力は、当然制御基板５１にも及んでおり、制御基板５１を表示フレーム７０の上方側に付勢している。これによって制御基板５１も表示フレーム７０に対して位置決めされ、固定部材を用いずに、ＦＰＣ８２の変形による付勢力によって、表示フレーム７０、制御基板５１およびフレキシブルプリント電源基板５２の相対的な位置が決まり、フレームユニット７６を形成している。
【００３８】
このフレームユニット７６を下ケース１０２に搭載する動作の中で、フレキシブルプリント電源基板５２の嵌合孔５５に下ケース１０２の突起部５６が挿通され、受け部５７に収まる。嵌合孔５５に突起部５６が挿通されることにより、フレキシブルプリント電源基板５２の下ケース１０２に対する液晶表示部２と並行な面における位置が決まり、下ケース１０２と表示フレーム７０とにフレキシブルプリント電源基板５２が挟持され、フレキシブルプリント電源基板５２の固定が可能となる。フレームユニット７６は、筐体１００の正面側から下ケース１０２に向かって取り付けられることとなるが、表示フレーム７０の引掛部８３に一体に形成された凸形状８３ａがバッテリ収納部３１の裏側に形成された凹形状に嵌るようにして嵌合され、位置が決まる。
したがって、ビス等による固定手段を必要とすることなく、簡易にバッテリ１１に対するフレキシブルプリント電源基板５２の位置決めを行うことができる。
【００３９】
＜振動素子の配置＞
図１０は、本発明の一実施形態における光学式情報読取装置１の他の断面図である。図１０のように、制御基板５１はバッテリ１１の左右に沿って下方に向かって伸びる延伸部５８ａ、５８ｂを有する。下ケース１０２の延伸部５８ａの先端近傍には振動素子５９が設けられている。これは、ユーザが筐体１００を右手で握った際に、その振動を感知しやすい位置となっている。また、延伸部５８ｂは、延伸部５８ａに比べて長く、振動素子５９の下端と同程度まで延びている。これによってサブバッテリ用コネクタ６０を延伸部５８ｂの先端側に配置することができ、延伸部５８ａを短くして、振動素子５９を配置するスペースを稼ぐことができている。
【００４０】
但し、本発明に係る光学式情報読取装置１は持ち運び可能なハンディタイプの情報読取装置であり、筐体１００の移動などによる振動に伴っての、伸部５８ｂ先端側に振動が伝わりやすくなっている。それに対し、延伸部５８ｂの先端に設けられたサブバッテリ用コネクタ６０の正面側にクッション部材８４を配置して、キー基板１９に当接するように構成されている。これによって延伸部５８ｂの振動が抑えられ、制御基板５１へのダメージを軽減できる。
【００４１】
＜LEDライトガイドの押さえ構造＞
図１１は、本発明の一実施形態における光学式情報読取装置１の他の分解斜視図であり、上ケース１０１の上部に導光部材６が配置されている。
【００４２】
導光部材６は、上ケース１０１に形成された収容溝８０に収容されており、表示フレーム７０の上部に設けた押圧部８１によって、その背面から正面側に向かって押圧されている。これによりビスなどに代表されるような、固定のための構造を備える必要のある固定手段を設ける必要がなくなり、簡易な構成で導光部材６の固定を行うことができる。
【００４３】
尚、ビス等の固定手段を設けなければよく、簡易な両面テープなどによる固定と組み合わせても良い。その場合、両面テープなどの固定手段による固定を主な固定とし、それが外れた際に導光部材６が筐体１００内に落ち込んでしまわないように補助的な押さえ部材として押圧部８１を設けてもよく、押圧部８１は導光部材６の背面側に配置され、導光部材６が両面テープなどの他の固定手段によって固定されている間は導光部材６と接触しないような位置に押圧部８１を配置してもよい。
【００４４】
ここで、上ケース１０１には、押圧部８１に対応した凹部８１ａが形成されている。この凹部８１ａがガイドとなり、上ケース１０１とフレームユニット７６との取り付け性が向上している。
【００４５】
＜充電端子の基板押さえ構造＞
図１２は、本発明の一実施形態における光学式情報読取装置１の他の分解斜視図である。筐体１００の下面に充電端子４１が露出するように設けられた充電端子部材９０は、充電基板９１と接続されており、図４のように、充電基板９１は制御基板５１などの他の基板とは垂直に配置されている。
【００４６】
充電基板押さえ部材９４によって充電基板９１を下ケース１０２に固定する。充電基板押さえ部材９４の中央側に設けられた挟持部９３によって、充電基板９１を挟持している。充電基板押さえ部材９４は、挟持部９３を挟むようにして位置決め孔と固定用孔を有し、下ケース１０２に形成されたピンが位置決め孔に挿通されることによって下ケース１０２に対して位置決めされ、固定用孔を貫通して下ケース１０２に到達するビスによって固定される。この状態において、充電基板押さえ部材９４は、充電基板９１に接続された充電端子部材９０と当接するように配置されている。
【００４７】
充電端子部材９０は筐体１００の下端面に形成された開口孔９５に挿入される。そのため、充電端子部材９０が筐体１００下端面側から押された場合には、内部に入り込みやすくなっている。充電端子部材９０と充電基板９１とは複数の金属製の導通部で接続されており、ある程度相対的な位置関係が決まっているが、ある程度の負荷で充電端子部材９０を押してしまうと、内部側に入り込んでしまう可能性がある。本実施形態においては、充電端子部材９０に対して充電基板押さえ部材９４が当接するようになっているため、充電基板９１と充電端子部材９０との両方の位置を充電基板押さえ部材９４で固定可能となっている。
【００４８】
充電基板９１が接続された充電端子部材９０を下ケース１０２の開口孔９５に対し、開口面に垂直な方向から挿入する。さらに、充電基板９１と並行な方向より、充電基板９１を下ケース１０２に固定する充電基板抑え部材９４を下ケース１０２にビス留めする。このような構成にすることで、充電基板９１自体は筐体１００の長手方向に対して厚み方向で並べて配置することにより筐体１００の長手方向のサイズ低減を図りながら、簡易な構成で充電基板９１および充電端子部材９０の固定が可能となる。
【００４９】
以上、本発明の一実施形態に係る発明を説明したが、本発明はこの実施形態に記載の構造に限るものではなく、種々の変更が可能である。
【００５０】
本発明に係る光学式情報読取装置によれば、
本体と、
光を用いて記録された情報を読み取る情報読取部と、
前記情報に関する表示を行う表示パネルと、
前記情報読取部を制御する制御部を有する制御基板と、
前記表示パネルおよび前記制御基板を保持する基板ホルダと
を備え、
前記本体正面における前記表示パネルの上部には照明孔を有する照明部が設けられ、
前記照明部は前記照明孔を覆う導光部材を有し、
前記基板ホルダが、前記照明孔と重ならない位置において、前記導光部材背面に位置するようにしてもよい。
【００５１】
また、前記基板ホルダが、前記導光部材と当接するようにしてもよい。
【符号の説明】
【００５２】
１  光学式情報読取装置
２  液晶表示部
３  操作部
４  表示部
５  グリップ部
６  LEDライトの導光部材
７  電源ボタン
８  ファンクションボタン群
９  スキャンボタン
１１  バッテリ
１２  バッテリカバー
１３  バッテリロックノブ
１４  スキャナ部
１４ａ  頂部
１５  スキャナ窓枠
１６  スキャナユニット
１７  スピーカー部
１８  キーラバー
１９  キー基板  
２０  カードコネクタ
２１  スキャンキー
２２  スキャナ窓枠
３１  バッテリ収納部
３２  緩衝部
４１  充電端子
５０  制御装置
５１  制御基板
５２  電源基板
５３  コネクタ
５４  端子
５５  嵌合孔
５６  突起部
５７  受け部
５８ａ  延伸部
５８ｂ  延伸部
５９  振動素子
６０  サブバッテリ用コネクタ
７０  表示フレーム
７１  ＦＰＣ
７２  表示フレームクッション材
７３  支持部材
７４  下フレーム
７５  下フレーム用クッション材
７６  フレームユニット
７７  スキャナ用クッション材
７８  下ケースのバネ部
７９  押圧面
８０  収容溝
８１  押圧部
８２  ＦＰＣ部
８３  引掛部
８４  クッション部材
８５  表示用クッション材
９０  充電端子部材
９１  充電基板
９２  ＦＰＣ
９４  充電基板押さえ部材
９５  開口孔
１００  筐体
１０１  上ケース
１０２  下ケース
【図１】
0006676358.tif 000002
【図２】
0006676358.tif 000003
【図３】
0006676358.tif 000004
【図４】
0006676358.tif 000005
【図５】
0006676358.tif 000006
【図６】
0006676358.tif 000007
【図７】
0006676358.tif 000008
【図８】
0006676358.tif 000009
【図９】
0006676358.tif 000010
【図１０】
0006676358.tif 000011
【図１１】
0006676358.tif 000012
【図１２】
0006676358.tif 000013